(57)【特許請求の範囲】
【請求項１】
ネットワークに接続可能な無線基地局と無線通信する移動無線端末装置において、
現在位置を検出する位置検出手段と、
現在位置が予め設定された位置である場合に、送信所から放送される放送信号を探索する探索手段と、
この探索手段が探索した結果に基づいて、前記放送信号を受信する受信手段と、
現在位置で受信可能な放送信号のチャンネルを記憶する記憶手段とを具備し、
前記探索手段は、現在位置が予め設定された位置である場合に、前記記憶手段が記憶するチャンネルを除いて、送信所から放送される放送信号を探索することを特徴とする移動無線端末装置。
【請求項２】
前記位置検出手段は、GPS信号を受信し、このGPS信号に基づいて、現在位置を検出することを特徴とする請求項１に記載の移動無線端末装置。
【請求項３】
前記位置検出手段は、前記無線基地局から送信される情報に基づいて、現在位置を検出することを特徴とする請求項１に記載の移動無線端末装置。
【発明の詳細な説明】
【技術分野】
【０００１】
この発明は、例えば携帯電話機などの移動無線端末装置に関する。
【背景技術】
【０００２】
周知のように、携帯電話機は、ワンセグ放送を受信する機能を備えるようになった（例えば、特許文献１参照）。ワンセグ放送は、受信料がかからないというメリットがあるが、受信するには若干の操作が必要である。
【０００３】
また近時、テレビ局が行う通常のワンセグ放送とは別に、大型店舗や公共施設などの特定の地域においてのみ放送されるエリア限定ワンセグ放送が行われるようになった。この放送によれば、放送されるエリアの特性を生かし、視聴者のニーズに応じた情報を提供することが可能である。
【０００４】
しかしながら、エリア限定ワンセグ放送については、その放送チャンネルが移動無線端末装置にプリセットされているとは限らない。また通常のワンセグ放送と異なり、番組情報が所定のチャネルを通じて放送されることもない。このため、ユーザは、エリア限定ワンセグ放送を視聴するためには、通常のワンセグ放送を受信する以上に、さらに複雑な操作が要求されることになり、利便性が低いという問題があった。
【先行技術文献】
【特許文献】
【０００５】
【特許文献１】特開２００９−１６５０００号公報
【発明の概要】
【発明が解決しようとする課題】
【０００６】
従来の移動無線端末装置では、エリア限定ワンセグ放送を視聴する場合、複雑な操作が要求されるため、利便性が低いという問題があった。  
この発明は上記の問題を解決すべくなされたもので、エリア限定ワンセグ放送の視聴を容易な操作で行うことができ、利便性が高い移動無線端末装置を提供することを目的とする。
【課題を解決するための手段】
【０００７】
上記の目的を達成するために、この発明は、ネットワークに接続可能な無線基地局と無線通信する移動無線端末装置において、現在位置を検出する位置検出手段と、現在位置が予め設定された位置である場合に、送信所から放送される放送信号を探索する探索手段と、この探索手段が探索した結果に基づいて、放送信号を受信する受信手段とを具備して構成するようにした。
【発明の効果】
【０００８】
以上述べたように、この発明では、現在位置が予め設定された位置である場合に、送信所から放送される放送信号を探索して、これにより発見した放送信号を受信するようにしている。
【０００９】
したがって、この発明によれば、ユーザは、予め設定された位置に移動するだけで、その場所で放送される放送信号を受信することができるので、エリア限定ワンセグ放送の視聴を容易な操作で行うことができ、利便性が高い移動無線端末装置を提供できる。
【図面の簡単な説明】
【００１０】
【図１】この発明に係わる移動無線端末装置の実施形態の構成を示す回路ブロック図。
【図２】図１に示した移動無線端末装置の第１の実施形態におけるエリア限定ワンセグ放送の受信動作を説明するためのフローチャート。
【図３】図１に示した移動無線端末装置の第２の実施形態におけるエリア限定ワンセグ放送の受信動作を説明するためのフローチャート。
【図４】図１に示した移動無線端末装置の第３の実施形態におけるエリア限定ワンセグ放送の受信動作を説明するためのフローチャート。
【発明を実施するための形態】
【００１１】
以下、図面を参照して、この発明の一実施形態について説明する。  
図１は、この発明の一実施形態に係わる画像処理装置を適用した移動無線端末装置の構成を示すブロック図である。この移動無線端末装置は、携帯電話機などのモバイル機器であって、図１に示すように、主な構成要素として、制御部１００と、無線通信部１０と、表示部２０と、通話部３０と、操作部４０と、記憶部５０と、放送受信部６０と、GPS受信部７０と、デジタルカメラ８０とを備え、基地局装置BSおよび移動通信網MＮを介して通信する通信機能と、放送局BCから送信される地上デジタル放送信号を受信する放送受信機能と、位置を即位する測位機能などを備える。
【００１２】
無線通信部１０は、制御部１００の指示にしたがって、移動通信網MＷに収容された基地局装置BSと無線通信を行うものであって、これにより音声データや電子メールデータなどの送受信、Webデータやストリーミングデータなどの受信を行う。  
表示部２０は、制御部１００の制御により、画像（静止画像および動画像）や文字情報などを表示して、視覚的にユーザに情報を伝達するものである。
【００１３】
通話部３０は、スピーカ３１やマイクロホン３２を備え、マイクロホン３２を通じて入力されたユーザの音声を制御部１００にて処理可能な音声データに変換して制御部１００に出力したり、無線通信部１０を介して通話相手などから受信した音声データを復号してスピーカ３１から出力するものである。  
操作部４０は、複数のキースイッチなどを備え、これを通じてユーザから指示を受け付けるものである。
【００１４】
記憶部５０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。
【００１５】
また記憶部５０は、制御データとして、地域毎に、受信可能なワンセグ放送のチャンネルをリスト化した地域チャンネルテーブルと、エリア限定ワンセグ放送の探索を開始する位置情報を有する探索開始位置情報と、インターネットNWに接続されるサーバSVからエリア限定ワンセグ放送のチャネル情報を取得するためのＵＲＬ（Uniform Resource Locator）とを記憶する。なお、記憶部５０は、ＨＤＤ、ＲＡＭ、ＲＯＭ、ＩＣメモリなどの１つまたは複数の記憶手段を含むものである。
【００１６】
放送受信部６０は、放送局BCから送信される地上デジタル放送信号のうち、ワンセグメントを受信し、映像信号が例えばH.264などの形式で符号化された放送データ（符号化ストリーム）を得る。なお、ここでは、放送受信部６０は、低フレームレートのワンセグメントを受信する場合を例に挙げるが、これに限らず、より高いフレームレートのフルセグメントを受信するディジタルチューナであってもよい。また放送局BCは、広域に対して放送を行う通常の放送局でもよいし、大型店舗や公共施設などの特定の地域を受信エリアとするエリア限定の放送局であってもよい。
【００１７】
GPS受信部７０は、GPS衛星ST1〜STnから送信されるGPS(Global Positioning System)信号を受信して、位置（緯度、経度、高度）を測位するものであって、この測位によって得た位置情報（緯度、経度、高度）を制御部１００に出力する。
【００１８】
デジタルカメラ８０は、CCD(Charge-Coupled Device)あるいはCMOS(Complementary Metal Oxide Semiconductor)などの撮像素子を用いて撮像を行うデジタルカメラであって、制御部１００によって制御され、撮像によって得た画像データを制御部１００に出力する。
【００１９】
制御部１００は、マイクロプロセッサを備え、記憶部５０が記憶する制御プログラムや制御データにしたがって動作し、当該移動無線端末装置の各部を統括して制御するものであって、例えば音声通信やデータ通信を行うために、通信系の各部を制御する通信制御機能と、電子メールの作成や送受信を行うためのメールソフトウェアや、Ｗｅｂブラウジングを行うためのブラウザソフトウェア、ストリーミングデータのダウンロードや再生を行うためのメディア再生ソフトウェア、放送局BCから送信される地上デジタル放送信号を受信するための放送受信ソフトウェア、デジタルカメラ８０を制御して撮影を行う画像処理ソフトウェア、QR(Quick Response)コード（登録商標）を画像解析により復号する画像解析ソフトウェアを実行し、これらに係わる各部を制御するアプリケーション処理機能を備える。
【００２０】
（第１の実施形態）
次に、第１の実施形態に係わる上記構成の移動無線端末装置の動作について説明する。以下の説明では、テレビ局が行う通常のワンセグ放送よりも狭い範囲の限られた地域に放送されるエリア限定ワンセグ放送を受信する動作について説明する。図２は、この動作を説明するためのフローチャートである。図２に示す処理は、移動無線端末装置の電源が投入されている間、ワンセグ放送を受信している場合を除いて、繰り返し実行される。
【００２１】
ステップ２ａにおいて制御部１００は、GPS受信部７０が測位によって得た位置情報を取得し、ステップ２ｂに移行する。  
ステップ２ｂにおいて制御部１００は、ステップ２ａで取得した位置情報と、記憶部５０が記憶する探索開始位置情報を参照し、両者が示す位置の差が所定の距離の範囲内か否かを判定する。すなわち、当該移動無線端末装置は、特定の位置に位置するか否かを判定する。ここで、当該移動無線端末装置が、特定の位置に位置する場合には、ステップ２ｃに移行し、一方、当該移動無線端末装置が、特定の位置に位置しない場合には、ステップ２ａに移行する。
【００２２】
ステップ２ｃにおいて制御部１００は、放送受信部６０を制御して、受信可能なワンセグ放送のチャンネルをスキャンする。ただし、ここでスキャンするチャンネルは、記憶部５０が記憶する地域チャンネルテーブルに基づいて、現在位置する地域で放送されるチャンネルを除いたものである。これにより放送受信部６０は、現在位置する地域で放送されるチャンネル以外で、受信可能なワンセグ放送のチャンネル、すなわちエリア限定ワンセグ放送のチャンネルを検出し、ステップ２ｄに移行する。
【００２３】
ステップ２ｄにおいて制御部１００は、放送受信部６０を制御して、ステップ２ｃで検出したチャンネルの受信を開始し、当該処理を終了する。これにより、制御部１００は、放送受信部６０によって受信される放送データを復号し、この復号によって得た放送映像を表示部２０に表示するとともに、同様にして復号によって音声信号を通話部３０を介して、スピーカ３１より拡声出力する。
【００２４】
以上のように、上記構成の移動無線端末装置では、予め設定された場所に移動した場合に、プリセットされた受信可能なワンセグ放送のチャンネルを除いて、受信可能なワンセグ放送のチャンネルをスキャンして、そのチャンネルを受信するようにしている。
【００２５】
したがって、上記構成の移動無線端末装置によれば、予め設定された場所に移動するだけで、エリア限定ワンセグ放送の視聴を容易に行うことができるので、ユーザの手を煩わすことが無く、利便性が高い。
【００２６】
なお、上記実施の形態では、ユーザが予め設定された場所に移動したことを検出する場合を例に挙げて説明したが、操作部４０を通じて所定の操作が行われた場合に、ステップ２ｃ以降の処理を実行するようにしてもよい。このような処理によれば、ユーザ操作をきっかけに、地域限定ワンセグ放送の視聴を開始できる。
【００２７】
（第２の実施形態）
次に、第２の実施形態に係わる上記構成の移動無線端末装置の動作について説明する。以下の説明では、テレビ局が行う通常のワンセグ放送よりも狭い範囲の限られた地域に放送されるエリア限定ワンセグ放送を受信する動作について説明する。図３は、この動作を説明するためのフローチャートである。図３に示す処理は、移動無線端末装置の電源が投入されている間、ワンセグ放送を受信している場合を除いて、繰り返し実行される。
【００２８】
ステップ３ａにおいて制御部１００は、GPS受信部７０が測位によって得た位置情報を取得し、ステップ３ｂに移行する。  
ステップ３ｂにおいて制御部１００は、ステップ３ａで取得した位置情報と、記憶部５０が記憶する探索開始位置情報を参照し、両者が示す位置の差が所定の距離の範囲内か否かを判定する。すなわち、当該移動無線端末装置は、特定の位置に位置するか否かを判定する。ここで、当該移動無線端末装置が、特定の位置に位置する場合には、ステップ３ｃに移行し、一方、当該移動無線端末装置が、特定の位置に位置しない場合には、ステップ３ａに移行する。
【００２９】
ステップ３ｃにおいて制御部１００は、記憶部５０から、サーバSVからエリア限定ワンセグ放送のチャネル情報を取得するためのＵＲＬを取得する。また制御部１００は、無線通信部１０を制御して、基地局装置BSに接続し、移動通信網MＮおよびインターネットNWを通じて、上記ＵＲＬに基づき、サーバSVに接続する。
【００３０】
そして制御部１００は、無線通信部１０を制御して、GPS受信部７０が取得した位置情報をサーバSVに送信し、これに応答してサーバSVから送信されるチャネル情報をダウンロードし、ステップ３ｄに移行する。上記チャネル情報には、上記位置情報で示される地域で行われているエリア限定ワンセグ放送のチャネルの識別情報が含まれている。
【００３１】
すなわち、サーバSVは、位置情報と、位置情報で示される地域で行われているエリア限定ワンセグ放送のチャネルの識別情報を対応づけたデータベースを備えており、移動無線端末装置から送られる位置情報を参照し、この位置情報に対応する地域で放送されるエリア限定ワンセグ放送のチャネルの識別情報を提供する。
【００３２】
ステップ３ｄにおいて制御部１００は、放送受信部６０を制御して、ステップ３ｃで取得したチャンネルの受信を開始し、当該処理を終了する。これにより、制御部１００は、放送受信部６０によって受信される放送データを復号し、この復号によって得た放送映像を表示部２０に表示するとともに、同様にして復号によって音声信号を通話部３０を介して、スピーカ３１より拡声出力する。
【００３３】
以上のように、上記構成の移動無線端末装置では、予め設定された場所に移動した場合に、サーバSVから、その地域で放送されるエリア限定ワンセグ放送のチャンネルの識別情報を取得し、このチャンネルを受信するようにしている。
【００３４】
したがって、上記構成の移動無線端末装置によれば、予め設定された場所に移動するだけで、エリア限定ワンセグ放送の視聴を容易に行うことができるので、ユーザの手を煩わすことが無く、利便性が高い。
【００３５】
なお、上記実施の形態では、ユーザが予め設定された場所に移動したことを検出する場合を例に挙げて説明したが、操作部４０を通じて所定の操作が行われた場合に、ステップ３ｃ以降の処理を実行するようにしてもよい。このような処理によれば、ユーザ操作をきっかけに、地域限定ワンセグ放送の視聴を開始できる。
【００３６】
（第３の実施形態）
次に、第３の実施形態に係わる上記構成の移動無線端末装置の動作について説明する。以下の説明では、テレビ局が行う通常のワンセグ放送よりも狭い範囲の限られた地域に放送されるエリア限定ワンセグ放送を受信する動作について説明する。図４は、この動作を説明するためのフローチャートである。図４に示す処理は、操作部４０を通じて、ユーザからQRコードの読み取り要求が生じた場合に実行される。
【００３７】
ステップ４ａにおいて制御部１００は、ユーザによる操作部４０に対する操作に応動して、デジタルカメラ８０を制御してQRコードを撮像する。デジタルカメラ８０が、撮影した画像から画像データを生成して、制御部１００に出力し、これにより制御部１００は、ステップ４ｂに移行する。
【００３８】
ステップ４ｂにおいて制御部１００は、画像データを分析して、撮影されたQRコードを復号し、サーバSVからエリア限定ワンセグ放送のチャネル情報を取得するためのＵＲＬを取得し、ステップ４ｃに移行する。
【００３９】
ステップ４ｃにおいて制御部１００は、無線通信部１０を制御して、基地局装置BSに接続し、移動通信網MＮおよびインターネットNWを通じて、上記ＵＲＬに基づき、サーバSVに接続する。
【００４０】
そして制御部１００は、無線通信部１０を制御して、GPS受信部７０が取得した位置情報をサーバSVに送信し、これに応答してサーバSVから送信されるチャネル情報をダウンロードし、ステップ４ｄに移行する。上記チャネル情報には、上記位置情報で示される地域で行われているエリア限定ワンセグ放送のチャネルの識別情報が含まれている。
【００４１】
すなわち、サーバSVは、位置情報と、位置情報で示される地域で行われているエリア限定ワンセグ放送のチャネルの識別情報を対応づけたデータベースを備えており、移動無線端末装置から送られる位置情報を参照し、この位置情報に対応する地域で放送されるエリア限定ワンセグ放送のチャネルの識別情報を提供する。
【００４２】
ステップ４ｄにおいて制御部１００は、放送受信部６０を制御して、ステップ４ｃで取得したチャンネルの受信を開始し、当該処理を終了する。これにより、制御部１００は、放送受信部６０によって受信される放送データを復号し、この復号によって得た放送映像を表示部２０に表示するとともに、同様にして復号によって音声信号を通話部３０を介して、スピーカ３１より拡声出力する。
【００４３】
以上のように、上記構成の移動無線端末装置では、大型店舗内などに掲示されているQRコードをデジタルカメラ８０によって撮影して、サーバSVにアクセスするためのＵＲＬを取得してサーバSVに接続し、サーバSVから、その地域で放送されるエリア限定ワンセグ放送のチャンネルの識別情報を取得し、このチャンネルを受信するようにしている。
【００４４】
したがって、上記構成の移動無線端末装置によれば、QRコードを撮影するだけで、エリア限定ワンセグ放送の視聴を容易に行うことができるので、ユーザの手を煩わすことが無く、利便性が高い。
【００４５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４６】
例えば、上記実施の形態では、GPS受信部７０が測位した結果に基づいて、現在位置を検出するようにしたが、これに代わって例えば、基地局装置BSから通知される位置情報や、基地局装置BSの識別情報に基づいて、現在位置を検出するようにしてもよい。  
その他、この発明の要旨を逸脱しない範囲で種々の変形を施しても同様に実施可能であることはいうまでもない。
【符号の説明】
【００４７】
１０…無線通信部、２０…表示部、３０…通話部、３１…スピーカ、３２…マイクロホン、４０…操作部、５０…記憶部、６０…放送受信部、７０…GPS受信部、８０…デジタルカメラ、１００…制御部、BC…放送局、BS…基地局装置、MＮ…移動通信網、NW…インターネット、ST1〜STn…GPS衛星、SV…サーバ。
【図１】
0005591502.tif 000002
【図２】
0005591502.tif 000003
【図３】
0005591502.tif 000004
【図４】
0005591502.tif 000005